(57)【要約】【課題】熟練を要することなく簡単に品質に優れた印鑑ケースを製造することを可能にして製造コストを抑えるとともに、製造効率を向上できる印鑑ケースの製造方法およびそのための製造装置を提供する。【解決手段】１）中間プレートの前記開口部に印鑑ケースの金属枠を取り付けて取付治具本体内にその側面から挿入することにより、前記底板上において該金属枠が前記取付孔の直下となるようセットし、２）ついで中間プレートの金属枠内に、前記取付治具本体の取付孔から印鑑ケースの容器部および／または蓋部をはめ込み、３）プレス工具を前記取付治具本体の取付孔から押し込んで、プレス工具で金属枠をカシメ付けることにより金属枠と印鑑ケースの容器部および／または蓋部とを組み付け、４）底板を前記取付治具本体の側面から引き出して、組み付けられた印鑑ケースを取付治具本体の下部に落とし込む、ようにしたことを特徴とする印鑑ケースの製造方法。【選択図】    図４
2009023090.tif 000002
【特許請求の範囲】
【請求項１】
上面に印鑑ケースの容器部および／または蓋部を挿入する取付孔を設けた取付治具本体と、該取付治具本体の側面から出し入れ可能に取り付けた、印鑑ケースの金属枠を保持する開口部を備えた中間プレートと、該中間プレートの下部において、前記取付治具本体の側面から出し入れ可能に取り付けた底板とを有する取付治具を準備し、
１）前記中間プレートの前記開口部に印鑑ケースの金属枠を取り付けて取付治具本体内にその側面から挿入することにより、前記底板上において該金属枠が前記取付孔の直下となるようセットし、
２）ついで中間プレートの金属枠内に、前記取付治具本体の取付孔から印鑑ケースの容器部および／または蓋部をはめ込み、
３）プレス工具を前記取付治具本体の取付孔から押し込んで、プレス工具で金属枠をカシメ付けることにより金属枠と印鑑ケースの容器部および／または蓋部とを組み付け、
４）底板を前記取付治具本体の側面から引き出して、組み付けられた印鑑ケースを取付治具本体の下部に落とし込む、
ようにしたことを特徴とする印鑑ケースの製造方法。
【請求項２】
中間プレートに金属枠をその裏側を上面にして取り付け、金属枠内に前記取付治具本体の取付孔から印鑑ケースの容器部および／または蓋部をうつぶせにはめ込むようにしたことを特徴とする請求項１に記載の印鑑ケースの製造方法。
【請求項３】
上面に印鑑ケースの容器部および／または蓋部を挿入する取付孔を設けた取付治具本体と、該取付治具本体の側面から出し入れ可能に取り付けた、印鑑ケースの金属枠を保持する開口部を備えた中間プレートと、該中間プレートの下部において、前記取付治具本体の側面から出し入れ可能に取り付けた底板とを有する取付治具を備え、
１）印鑑ケースの金属枠は、前記中間プレートの前記開口部に取り付けて取付治具本体内にその側面から挿入可能であって、前記底板上において該金属枠が前記取付孔の直下となるよう保持され、
２）印鑑ケースの容器部および／または蓋部は、中間プレートの金属枠内に前記取付治具本体の取付孔からはめ込むことができ、
３）金属枠と印鑑ケースの容器部および／または蓋部は、プレス工具を前記取付治具本体の取付孔から押し込むことにより、金属枠をカシメて強固に固着することができ、
４）底板は前記取付治具本体の側面から引き出して、組み付けられた印鑑ケースを取付治具本体の下部に落とし込メ付ける
ようにしたことを特徴とする印鑑ケースの製造装置。
【請求項４】
中間プレートに金属枠をその裏側を上面にして取り付け、金属枠内に前記取付治具本体の取付孔から印鑑ケースの容器部および／または蓋部をうつぶせにはめ込むようにしたことを特徴とする請求項３に記載の印鑑ケースの製造装置。
【発明の詳細な説明】
【技術分野】
【０００１】
この発明は、印鑑ケースの製造方法およびそのための製造装置に関する。
【背景技術】
【０００２】
従来、印鑑ケースを製造する場合は金属製の板材を矩形状に折り曲げて両端部をロー付けして矩形状の枠体を形成し、この枠体を一対、蝶番で開閉自在に連結して金属枠を作成した上、芯材とカバー体からなる容器部および蓋部を金属枠にはめ込んで印鑑ケースを製造している。
このため、金属枠に容器部および蓋部をたたいてはめ込むには熟練技術が必要であるとともに多くの製造工程を経る必要がある。このため、印鑑ケースの製品コストが高くなるとともに製造効率が悪いという不具合があった。
そこで、特開平８−６７０５９号公報（特許文献１参照）に見られるように、金属枠と容器部および蓋部を接着によってのみ組み付けるようにしたものが提案されている。
【特許文献１】特開平８−６７０５９号公報
【発明の開示】
【発明が解決しようとする課題】
【０００３】
しかしながら、上述の特許文献１の印章ケースにおいては、接着剤のみによって金属枠と容器部および蓋部を組み付けたものであり、長年使用しているうちに接着剤が劣化して金属枠から容器部や蓋部が脱落してしまったり、接着剤の変質で見た目が悪くなってしまうという問題点があった。
【０００４】
本発明は、上記不具合を解消すべく発明されたものであり、熟練を要することなく簡単に品質に優れた印鑑ケースを製造することを可能にして製造コストを抑えるとともに、製造効率を向上できる印鑑ケースの製造方法およびそのための製造装置を提供しようとするものである。
【課題を解決するための手段】
【０００５】
この発明の印鑑ケースの製造方法は、上面に印鑑ケースの容器部および／または蓋部を挿入する取付孔を設けた取付治具本体と、該取付治具本体の側面から出し入れ可能に取り付けた、印鑑ケースの金属枠を保持する開口部を備えた中間プレートと、該中間プレートの下部において、前記取付治具本体の側面から出し入れ可能に取り付けた底板とを有する取付治具を準備し、
１）前記中間プレートの前記開口部に印鑑ケースの金属枠を取り付けて取付治具本体内にその側面から挿入することにより、前記底板上において該金属枠が前記取付孔の直下となるようセットし、
２）ついで中間プレートの金属枠内に、前記取付治具本体の取付孔から印鑑ケースの容器部および／または蓋部をはめ込み、
３）プレス工具を前記取付治具本体の取付孔から押し込んで、プレス工具で金属枠をカシメ付けることにより金属枠と印鑑ケースの容器部および／または蓋部とを組み付け、
４）底板を前記取付治具本体の側面から引き出して、組み付けられた印鑑ケースを取付治具本体の下部に落とし込む、
ようにしたことを特徴とするものである。
【０００６】
この発明の印鑑ケースの製造方法は、中間プレートに金属枠をその裏側を上面にして取り付け、金属枠内に前記取付治具本体の取付孔から印鑑ケースの容器部および／または蓋部をうつぶせにはめ込むようにしたことを特徴とするものである。
【０００７】
またこの発明の印鑑ケースの製造装置は、上面に印鑑ケースの容器部および／または蓋部を挿入する取付孔を設けた取付治具本体と、該取付治具本体の側面から出し入れ可能に取り付けた、印鑑ケースの金属枠を保持する開口部を備えた中間プレートと、該中間プレートの下部において、前記取付治具本体の側面から出し入れ可能に取り付けた底板とを有する取付治具を備え、
１）印鑑ケースの金属枠は、前記中間プレートの前記開口部に取り付けて取付治具本体内にその側面から挿入可能であって、前記底板上において該金属枠が前記取付孔の直下となるよう保持され、
２）印鑑ケースの容器部および／または蓋部は、中間プレートの金属枠内に前記取付治具本体の取付孔からはめ込むことができ、
３）金属枠と印鑑ケースの容器部および／または蓋部は、プレス工具を前記取付治具本体の取付孔から押し込むことにより、金属枠をカシメて強固に固着することができ、
４）底板は前記取付治具本体の側面から引き出して、組み付けられた印鑑ケースを取付治具本体の下部に落とし込メ付ける
ようにしたことを特徴とするものである。
【０００８】
この発明の印鑑ケースの製造装置は、中間プレートに金属枠をその裏側を上面にして取り付け、金属枠内に前記取付治具本体の取付孔から印鑑ケースの容器部および／または蓋部をうつぶせにはめ込むようにしたことをも特徴とするものである。
【０００９】
以上のように、請求項１の発明は、印鑑ケースの金属枠や印鑑ケースの容器部および蓋部を治具に手際よくセットすることができ、また容器部および蓋部をセットした状態で、プレス工具によって金属枠をカシメ付けることにより金属枠と容器部および蓋部とを迅速かつ確実に組み付けることができるようにした印鑑ケースの製造方法を提供するものである。
また、請求項３の発明は、印鑑ケースの金属枠や印鑑ケースの容器部および蓋部を治具に手際よくセットすることができ、また容器部および蓋部をセットした状態で、プレス工具によって金属枠をカシメ付けることにより金属枠と容器部および蓋部とを迅速かつ確実に組み付けることができるようにした印鑑ケースの製造装置を提供するものである。
そして、請求項２および４の発明は、中間プレートに金属枠をその裏側を上面にして取り付け、金属枠内に前記取付治具本体の取付孔から印鑑ケースの容器部および／または蓋部をうつぶせにはめ込むようにしたものであり、
【発明の効果】
【００１０】
以上説明したように本発明に係る印鑑ケースの製造方法およびそのための製造装置は、熟練技術を不要にするとともに簡単な工程で高品質の印鑑ケースを製造できるので、不良率を提言して印鑑ケースの製品コストを抑えることができるとともに、製造効率を大幅に向上できるという優れた効果を有する。
すなわち、
ａ）従来の手作業で熟練を要する作業を、誰でも簡単に行なえるようにしたので、製造工程の大幅なスピードアップを図ることができる。
ｂ）従来、ヘラを用いて手作業を行なっていた金属枠と容器部および蓋部の縁部分の仕上げ処理を不要としたので、高品質の印鑑ケースを熟練を要しないで製造することができるようになった。
ｃ）上記ａ），ｂ）から、印鑑ケースを連続的にしかも迅速に製造することができ、大幅なコスト低減を図ることができるようになった。
【発明を実施するための最良の形態】
【００１１】
以下、図面に基いて本発明の印鑑ケースの製造方法およびそのための製造装置の実施の形態について詳細に説明する。
図１は印鑑ケースの製造の際に使用される金属枠を示す斜視図、図２は容器部の斜視図、図３は蓋部の斜視図、図４ないし図９はそれぞれ印鑑ケースの製造装置を示し、図４は製造装置の中間プレートを引き出した状態の斜視図、図５は製造装置に金属枠をセットした状態の斜視図、図６は製造装置に容器部および蓋部をセットした状態の斜視図、図７は製造装置にプレス工具を適用した状態の斜視図、図８は製造装置の底板を引き抜いた状態の斜視図、図９は製造装置から容器部および蓋部を落とし込んだ状態の斜視図、図１０は容器部および蓋部の芯材と織布や皮革からなる表裏のカバー体との圧着治具を示す斜視図である。
【００１２】
図１は金属枠１０を示し、予め金属製の板材を矩形に折り曲げて一対の枠体１１，１１を形成し、該枠体１１，１１を蝶番１２で連結するとともに、蝶番１２の反対側に脱着用のつまみ１３を溶着したものである。
図２は容器部２１を示し、プラスチック成形体からなる芯材２２と織布や皮革からなる表裏のカバー体２３，２４とで構成されている。２５は印鑑収納部で、その端部には朱肉容器２６が取り付けられている。
図３は蓋部３１を示し、容器部２１と同様のプラスチック成形体からなる芯材３２と織布や皮革からなる表裏のカバー体３３，３４とで構成されている。
前記容器部２１および蓋部３１のプラスチック成形体からなる芯材２２，３２と織布や皮革からなる表裏のカバー体２３，３３および２４，３４は、図１０の圧着治具４１によって接合一体化される。この圧着治具４１は、コ字状の溝４３を形成した金属製基板４２に前記溝４３にはめ込むコ字状断面の１側壁を切欠いたガイド筒４４を取り付け、このガイド筒４４に芯材と表裏のカバー体とをはめ込んで上部からプレスするようにして使用するものである。
【００１３】
図４ないし図９に本発明に係る印鑑ケース及びその製造方法の一実施例が示されている。
まず、図４に示す取付治具を説明すると、該取付治具５１は、上面に印鑑ケースの容器部および蓋部を挿入する一対の取付孔５３を設けた取付治具本体５２と、前記取付治具本体５２の側面からそれぞれ出し入れ可能に取り付けた中間プレート５４およびその下部の底板５５とで構成されている。
前記中間プレート５４は、印鑑ケースの金属枠１０を保持する矩形の開口部５６を備えており、底板５５は金属枠１０を該開口部５６内に保持しておくことができる。５７は、中間プレート５４を引き出す際に、同時に底板５５を引き出すための係合突起である。
したがって、取付治具本体５２に中間プレート５４および底板５５を押し込んだ状態においては、印鑑ケースの容器部２１は取付治具本体５２の取付孔５３から中間プレート５４の開口部５６へはめ込むことができ、容器部２１は底板５５上に保持される。また中間プレート５４をセットしたまま底板５５を取付治具本体５２から引き出すと、容器部２１は取付治具本体５２の下部に落とし込まれる。
【００１４】
印鑑ケースの製造に際しては、
１）まず図４に示すように、中間プレート５４を取付治具本体５２から引き出した状態で、印鑑ケースの金属枠１０を中間プレート５４の矩形の開口部５６に取り付ける。
なお、中間プレート５４を引き出す際に、係合突起５７に中間プレート５４の端部が係合して、同時に底板５５も引き出されている。
【００１５】
２）次に、図５に示すように、前記中間プレート５４を取付治具本体５２内にその側面から挿入することにより、予め取付治具本体５２内に保持されている前記底板５５上において、該金属枠１０が前記取付孔５３の直下となるようセットする。
【００１６】
３）その上で、図６に示すように、中間プレート５４内にセットされた金属枠１０の開口部５６内に、前記取付治具本体５２の取付孔５３から印鑑ケースの前記容器部２１および蓋部３１を落とし込み、印鑑ケースの金属枠１０内にはめ込む。
【００１７】
４）そのようにして印鑑ケースの前記容器部２１および蓋部３１を中間プレート５４内の金属枠１０にセットし終わると、図７に示すように、プレス工具６１を前記取付治具本体５２の取付孔５３から押し込んで加圧する。
なおこのプレス工具６１は、基板６２の下部に前記取付治具本体５２の取付孔５３にはめ込むことができる一対の押圧片（図示せず）を備え、押圧片の下端には、印鑑ケースの金属枠１０の下縁部を前記容器部２１および蓋部３１側にカシメ付ける外向きに広がるテーパが形成してある。６３は基板６２上に突設した取手である。
前記プレス工具６１で金属枠１０をカシメ付けることにより、金属枠１０と印鑑ケースの容器部２１および蓋部３１が組み付けられて印鑑ケースの組み付けが完了する。
【００１８】
５）その後、図８に示すように、底板５５を前記取付治具本体５２の側面から引き出し、図９に示すように、組み付けられた印鑑ケースを取付治具本体５２の下部に落とし込むことにより、印鑑ケースは次の工程に送られる。
なお、底板５５を引き出す際に中間プレート５４は同期せず、印鑑ケースの落としこみが完了した後、中間プレート５４を引き出すことにより、上記１）の工程からふたたび繰り返すことができる。
【００１９】
もちろん、中間プレート５４には金属枠１０をその裏側を上面にして取り付け、金属枠１０内に前記取付治具本体５２の取付孔５３から印鑑ケースの容器部２１および蓋部３１をうつぶせにはめ込むことが望ましい。
【産業上の利用可能性】
【００２０】
この発明の印鑑ケースの製造方法およびそのための製造装置は、金属枠に容器部および蓋部を取り付けるために適用可能であるが、容器部や蓋部の構造を問わず適用することができ、多様な印鑑ケースを得ることができる。
【図面の簡単な説明】
【００２１】
【図１】印鑑ケースの製造の際に使用される金属枠を示す斜視図である。
【図２】容器部の斜視図である。
【図３】蓋部の斜視図である。
【図４】製造装置の中間プレートを引き出した状態の斜視図である。
【図５】製造装置に金属枠をセットした状態の斜視図である。
【図６】製造装置に容器部および蓋部をセットした状態の斜視図である。
【図７】製造装置にプレス工具を適用した状態の斜視図である。
【図８】製造装置の底板を引き抜いた状態の斜視図である。
【図９】製造装置から容器部および蓋部を落とし込んだ状態の斜視図である。
【図１０】容器部および蓋部の芯材と織布や皮革からなる表裏のカバー体との圧着治具を示す斜視図である。
【符号の説明】
【００２２】
１０  金属枠
１１，１１  枠体
１２  蝶番
１３  つまみ
２１  容器部
２２  芯材
２３，２４  カバー体
２５  印鑑収納部
２６  朱肉容器
３１  蓋部
３２  芯材
３３，３４  カバー体
４１  圧着治具
４２  金属製基板
４３  コ字状の溝
４４  ガイド筒
５１  取付治具
５２  取付治具本体
５３  取付孔
５４  中間プレート
５５  底板
５６  開口部
５７  係合突起
６１  プレス工具
６２  基板
６３  取手
【図１】
2009023090.tif 000003
【図２】
2009023090.tif 000004
【図３】
2009023090.tif 000005
【図４】
2009023090.tif 000006
【図５】
2009023090.tif 000007
【図６】
2009023090.tif 000008
【図７】
2009023090.tif 000009
【図８】
2009023090.tif 000010
【図９】
2009023090.tif 000011
【図１０】
2009023090.tif 000012